(57)【要約】【課題】機器の冷却を妨げることを防止し、設置が容易で低コストであり、他の設備のメンテナンス等を行う際に遮蔽体の取り外しと取り付けを容易に行える。【解決手段】電算機室空調システム１０は、通路の両側に設置したラック３の上に、アーチ型の遮蔽体ユニット１２を設置して面ファスナーで連結する。遮蔽体ユニット１２は、芯材１４とシート１５からなる遮蔽体１３を複数接続して形成する。遮蔽体ユニット１２は、一の遮蔽体１３のシート１５を、隣の遮蔽体の芯材１４の下面に面ファスナーで分離可能に連結する。照明器具等のメンテナンスに際し、一の遮蔽体１３のシート１５を隣の遮蔽体１３の芯材１４から引き剥がして天井に通じる空間を形成する。【選択図】図１
2014052130.tif 000002
【特許請求の範囲】
【請求項１】
通路の両側に設置されていて給気面から冷却用空気を給気して排気面から熱を帯びた空気を排気する機器収容用ラック群と、空気調和装置とを備え、前記空気調和装置から吹き出された冷却用空気が床下の内部空間を流通して床面に設けられた孔から床上に吹き出され、この冷却用空気が前記給気面を通して前記ラック群に収容された機器を冷却した後、熱を帯びた空気として前記ラック群の排気面に排気されて前記空気調和装置に再び吸引される電算機室空調システムにおいて、
冷却用空気または熱を帯びた空気が流通する前記通路を挟む両側のラック群の上面間にアーチ型の遮蔽体ユニットの両端部が載置され、該遮蔽体ユニットの両端部は面ファスナーによって分離可能に前記ラック群の上面に連結されていることを特徴とする電算機室空調システム。  
【請求項２】
前記遮蔽体ユニットは、複数のアーチ型の遮蔽体が面ファスナーによって分離可能に連結されて形成されている請求項１に記載された電算機室空調システム。
【請求項３】
前記遮蔽体は、アーチ型の芯材と、該芯材より柔軟性の高いシートとで形成されている請求項２に記載された電算機室空調システム。
【請求項４】
前記遮蔽体ユニットは、一の前記遮蔽体の芯材の前記通路側の面に他の遮蔽体のシートが面ファスナーによって分離可能に連結されている請求項３に記載された電算機室空調システム。
【請求項５】
前記遮蔽体ユニットは、複数の遮蔽体の連結方向における両端の遮蔽体にそれぞれ補強部材が設けられている請求項１乃至４のいずれか１項に記載された電算機室空調システム。
【請求項６】
前記補強部材は前記遮蔽体の芯材の延在方向に直交する方向に設けられている請求項５に記載された電算機室空調システム。
【発明の詳細な説明】
【技術分野】
【０００１】
本発明は、電算機室に配列したラックに収容したＩＴ機器等の機器を冷却するための電算機室空調システムに関する。
【背景技術】
【０００２】
ＯＡ機器や電子計算機や通信装置等の各種のＩＴ機器は、高集約化して用いられ、しかも機器からの高温の排熱が集合して排出されるために高発熱化の傾向にある。これらの機器の運用温度は比較的低く設定されているため、高温の排気が吸い込まれた場合、システム停止や機器の故障などのトラブルを引き起こす可能性がある。
そのため、これらの機器は電算機室内に設置された多段のラックに収容され、二重床からの吹き出しによって効率良くラック内の機器に冷風を送り込むようにしたシステムを採用している。二重床吹き出し方式の電算機室の場合、多数のＩＴ機器を搭載したラックは、大別して冷気を前面から給気して背面や上面へ排気している方式と、下面から給気して背面や上面へ排気する方式の２通りが採用されている。
【０００３】
特許文献１には、前面から給気する電算機室空調システムの一例が開示されており、この電算機室空調システムを図６により説明する。
図６は電算機室の室内の要部構成を示すもので、床１と図示しない壁と天井とで囲まれている。床１から上方に離間して二重床２が設けられ、その二重床２上に複数台のラック３，３，…が２列設置されている。これら２列のラック３に挟まれた二重床２上に通路４が配設されている。二重床２の下には内部空間５が設けられ、内部空間５に各ラック３の電気配線や後述する空気調和装置６の電気配線などが収容されている。
【０００４】
また、通路４の外側には、二重床２上に空気調和装置６が設置されている。空気調和装置６では、ラック３から排気された高温の空気を吸込口６ａから吸い込んで冷却し、空気調和装置６内で冷却された空気を冷却用空気として底面に設けられた吹出口６ｂから内部空間５内に送り出す。
二重床２の一部は通路４に位置して孔あきパネル７が設けられており、空気調和装置６から内部空間５に供給された冷却用空気が孔あきパネル７を通して通路４上に給気される。そして、各ラック３は、筐体３ａの前面全体に形成された給気面３ｂから冷却用空気を取り込み、ＩＴ機器を冷却して上部または背面に設けられたファン３ｃから上方または背面方向に高温となった空気を排気することになる。
【０００５】
このような構成を備えた空調システムでは、ラック３の運転時にファン３ｃを駆動するとともに空気調和装置６が運転され、空気調和装置６から送り出される冷却用空気が二重床２の内部空間５に供給される。内部空間５に供給された冷却用空気は、空気調和装置６の送風圧およびファン３ｃの吸入圧を受けて、床面の孔あきパネル７から通路４に流入し、ラック３前面の給気面３ｂから筐体３ａ内に送られる。ラック３の筐体３ａ内に送られた冷却用空気は筐体３ａ内の発熱機器を冷却し、熱交換によって高温となって上方または背面方向に放出される。この放出される空気は各ラック３の上方を通って空気調和装置６の吸込口６ａに吸い込まれ、再び冷却用空気となって吹き出される。
【０００６】
そして、特許文献１に開示された電算機空調システムでは、例えば図７に示すようなアーチ状の遮蔽体８が通路４の上部に載置され、通路４の両側のラック３の上面にねじ等で設置されている。このアーチ状の遮蔽体８は、アーチ状の骨組み８ａとこれをつなぐ梁状の骨組み８ｂとシート状の不燃材８ｃとで構成され、アーチ状の骨組み８ａの両端部が両側のラック３の上面に固定されている。或いは、図８に示すように、アーチ状の遮蔽体９は、アーチ状の複数の骨組み９ａが所定間隔で配列され、その上にシート状の不燃材９ｂが被着されて構成され、アーチの骨組９ａの各両端部を両側のラック３の上面にねじ等で固定している。
このような遮蔽体８，９によって、ラック３の上方や背面から排気される高温の空気が前面３ｂ側に回り込んでラック３の前面３ｂの上部から吸収されて温まってしまうことを防いだり、通路４内に供給される冷気と混合して冷気の温度が上昇し、ラック３の冷却効果が減少したりすることを防ぐようにしている。
【先行技術文献】
【特許文献】
【０００７】
【特許文献１】特許第３８３５６１５号公報
【発明の概要】
【発明が解決しようとする課題】
【０００８】
しかしながら、上述した電算機室空調システムでは、配列された複数のラック３の高さや形状、そして重量等が異なると、ラック３が地震等で振動した際、一体形成された遮蔽体８，９の両端部をラック３の挙動に追従させるために多種多量の部材が必要になり、構造が複雑になる欠点がある。
また、通路４を遮蔽体８，９で覆った状態で、電算機室の天井に設置した照明器具や火災報知器等の他の設備のメンテナンスを行う場合、遮蔽体８，９を取り外さなければならなかった。また、遮蔽体を形成する複数のパネル材を取り外し可能とする場合もあるが、パネル材を１枚ずつ取り外すことは作業効率が悪く、また取り外し時にパネル材の落下等の危険性がある上に、取り外したパネル材の設置スペースの確保が面倒であった。
【０００９】
また、パネル材の落下による危険性を低減するために、布等の柔らかい材料を遮蔽体として使用することも考えられるが、外した布等がＩＴ機器の吸気冷却の妨げになる可能性もあった。
また、遮蔽体として複数のパネル材を用いた場合、ラック３からの取り外しに時間がかかるため、空気調和装置６から通路４に供給された冷気の漏れが生じたり、ＩＴ機器に高温の排気が侵入したりするおそれもあり、場合によってはＩＴ機器に高温障害を引き起こす可能性もあった。
【００１０】
本発明は、このような事情に鑑みて成されたものであり、機器の冷却を妨げることを防止でき、遮蔽体ユニットの設置が容易で低コストである上に、遮蔽体ユニットの取り外しと取り付けを容易に行える電算機室空調システムを提供することを目的とする。
また、本発明の他の目的は、電算機室の他の設備のメンテナンス等を行う際に遮蔽体の取り外しと取り付けを容易に行える電算機室空調システムを提供することである。
【課題を解決するための手段】
【００１１】
本発明による電算機室空調システムは、通路の両側に設置されていて給気面から冷却用空気を給気して排気面から熱を帯びた空気を排気する機器収容用ラック群と、空気調和装置とを備え、空気調和装置から吹き出された冷却用空気が床下の内部空間を流通して床面に設けられた孔から床上に吹き出され、この冷却用空気が給気面を通してラック群に収容された機器を冷却した後、熱を帯びた空気としてラック群の排気面から排気されて空気調和装置に再び吸引される電算機室空調システムにおいて、通路を挟む両側のラック群の上面間にアーチ型の遮蔽体ユニットの両端部が載置され、該遮蔽体ユニットの両端部は面ファスナーによって分離可能にラック群の上面に連結されていることを特徴とする。
本発明によれば、遮蔽体ユニットによって通路の上部空間が遮蔽されているためにラック群の排気面から排気された高温の空気を給気面に供給される冷却用空気と分離でき、熱を帯びた高温の空気のショートサーキットを防止してラック上部や冷気の温度上昇を抑制できる。しかも、アーチ型の遮蔽体ユニットは面ファスナーによってラック群の上面に連結されるから遮蔽体ユニットの取り付けと取り外しが容易である。しかも、遮蔽体ユニットは、地震等の際にラックの挙動に追従して変形するため損傷しにくく、製造コストが低廉である上に、取り付け工事が容易で設置工事費を低減できる。
なお、遮蔽体ユニットを設置する通路に冷却用空気を供給する場合には、ラック群の冷却用空気の給気面は前面であり、熱を帯びた空気の排気面は上面または／及び背面であることが好ましく、遮蔽体ユニットを設置する排気側の通路に熱を帯びた空気を排気する場合には、ラック群の冷却用空気の給気面はラック群の前面または／及び上面であり、熱を帯びた空気の排気面は背面であることが好ましい。
【００１２】
また、遮蔽体ユニットは、複数のアーチ型の遮蔽体が面ファスナーによって分離可能に連結されて形成されていることが好ましい。
これによって、遮蔽体を組み合わせることで簡単且つ低廉に遮蔽体ユニットを製造できると共に、遮蔽体ユニットの外側に設置された照明器具や火災報知器等の他の設備のメンテナンス等を行う際、一部の遮蔽体を通路側から面ファスナーで引き剥がすことで容易に行える。
【００１３】
また、遮蔽体は、アーチ型の芯材と、この芯材より柔軟性の高いシートとで形成されていることが好ましい。
遮蔽体ユニットの一部を剥がして他の設備のメンテナンス等を行う際、通路側から遮蔽体のシートの部分の面ファスナーを引き剥がすことで、芯材の部分を遮蔽体ユニットに連結した状態で開口を形成できる。
【００１４】
また、遮蔽体ユニットは、一の遮蔽体の芯材の通路側の面に他の遮蔽体のシートが面ファスナーによって分離可能に連結されていることが好ましい。
遮蔽体ユニットの一部を剥がして他の設備のメンテナンス等を行う際、他の遮蔽体のシートを隣接する一の遮蔽体の芯材から面ファスナーの部分で通路側へ剥がすことで、形成された開口を通して遮蔽体ユニットの外側に設置した他の設備のメンテナンスができ、通路内からシートの引き剥がし作業や他の設備のメンテナンスを行える。面ファスナーで引き剥がされた他の遮蔽体のシートは吊り下げられた状態に保持されているため落下することがなく、設置スペースを確保する必要もない。そして、他の設備のメンテナンス終了後にシートを一の遮蔽体の芯材の面ファスナーに再度連結すれば元の状態に戻る。
【００１５】
また、遮蔽体ユニットは、複数の遮蔽体の連結方向における両端の遮蔽体にそれぞれ補強部材が設けられていてもよい。
複数の遮蔽体を一方向に連結してなる遮蔽体ユニットの両端の遮蔽体に補強材が設けられていて強度が高いため、遮蔽体ユニット全体を張架できて強度が高い。
【００１６】
また、補強部材は遮蔽体の芯材の延在方向に直交する方向に設けられていることが好ましい。
これによって遮蔽体ユニットは、連結された複数の遮蔽体を全長に亘ってアーチ型に保持できる。
【発明の効果】
【００１７】
本発明による電算機室空調システムによれば、両側のラック群の間の通路がアーチ型の遮蔽体ユニットで覆われているため、ラック群の排気面から排出された高温の空気が通路に供給される冷気と混ざったりラック群の前面から吸引されて機器の冷却を妨げたりするショートサーキットを防止できる。しかも、地震時等に両側のラックが個々に挙動したとしても遮蔽体ユニットは変形して容易に追従できる上に、遮蔽体ユニットはその両端部が面ファスナーでラック群の上面に連結されているから容易に着脱することができて、他の設備のメンテナンス等を簡単に行える。
【図面の簡単な説明】
【００１８】
【図１】本発明の実施形態による電算機室におけるラック群間の通路上に設置した遮蔽体ユニットとその分解図を示す要部斜視図である。
【図２】ラック群間の通路上に遮蔽体ユニットを設置した状態の要部斜視図である。
【図３】二つの遮蔽体の連結構造を示す図２のＡ−Ａ線拡大断面図である。
【図４】図２に示す遮蔽体ユニットのラックとの連結部の構造を示す要部拡大図である。
【図５】図３に示す二つの遮蔽体の連結構造の変形例を示す断面図である。
【図６】従来の電算機室空調システムを示す要部斜視図である。
【図７】図５に示すラック群間の通路を覆うための遮蔽体を示す斜視図である。
【図８】図６とは異なる形状の遮蔽体を示す斜視図である。
【発明を実施するための形態】
【００１９】
以下、本発明の実施形態による電算機室空調システムについて添付図面に基づいて説明するが、本発明は下記の実施形態に限定されるものでないことはいうまでもない。なお、本実施形態において、図６に示す従来の電算機室空調システムにおける遮蔽体以外の部分、部材は同一構成であり、これら共通する部分、部材には図６に示すものと同一の符号を用いて説明する。
図１乃至図４に示す本発明の実施形態による電算機室空調システム１０は、図６に示す電算機室において、対向して配列された一方の複数のラック３の列からなるラック群３Ａと他方の複数のラック３の列からなるラック群３Ｂとの間に通路４が設けられており、この通路４を覆うように通路４の長手方向に延在するアーチ型の遮蔽体ユニット１２が設置されている。
【００２０】
図１及び図２に示す遮蔽体ユニット１２は、アーチ型で所定幅の単体からなる遮蔽体１３が複数分離可能に連結されて構成されている。各遮蔽体１３は、図１及び図３に示すように、アーチ型で帯状をなす芯材１４と、一端が芯材１４に巻かれると共に他端が芯材１４から離れる方向に延びる例えば四角形状のシート１５とで形成されている。
芯材１４はアーチ型に湾曲した薄板状で、例えば中空のポリカーボネート板からなる軽量材であり、ラック３の地震等による変位に追従して変形可能な柔軟性を有している。シート１５は芯材１４よりも柔軟性が高く、一端が芯材１４に巻かれることで所定幅のアーチ型に湾曲して形成され、例えば塩化ビニールシート等の材質で形成されている。なお、シート１５は芯材１４に巻回されて接着剤等で一体に固定されているが、シート１５は必ずしも芯材１４に巻かれている必要はなく、芯材１４の表面または裏面に接着剤等で固定されていてもよい。本明細書では、芯材１４はそれ自体だけでなく、シート１５で巻かれたり重ねられたりした場合の構成を含む意味で用いるものとする。
【００２１】
そして、各遮蔽体１３のアーチ型方向の両端部は内側に折り曲げられた折り曲げ部１３ａとされている。また、図３に示すように、各遮蔽体１３は、一の遮蔽体１３のシート１５における芯材１４とは反対側の端部１３ｂと、隣接する他の遮蔽体１３の芯材１４とが、面ファスナー１７によって分離可能に連結されている。しかも、連結部分は、芯材１４の下側に両面テープ１８を介して一方の面ファスナー１７ａが接着され、シート１５の上側に両面テープ１８を介して他方の面ファスナー１７ｂが接着されている。
そのため、一の遮蔽体１３の芯材１４の下面に接着された一方の面ファスナー１７ａに、他の遮蔽体１３のシート１５の上面端部に接着された他方の面ファスナー１７ｂが剥離可能に連結されている。そして、通路４の長さに応じて必要な枚数の遮蔽体１３を面ファスナー１７によって順次芯材１４とシート１５とで連結することで、図１に示す複数の遮蔽体１３からなるアーチ型の遮蔽体ユニット１２が形成されている。
【００２２】
また、複数の遮蔽体１３を面ファスナー１７で連結してなる遮蔽体ユニット１２は、各遮蔽体１３の折り曲げ部１３ａも互いに重ねられており、これらの重ねた折り曲げ部１３ａを遮蔽体ユニット１２の両端部の折り曲げ面１２Ａとして示すものとする。遮蔽体ユニット１２の折り曲げ面１２Ａは、図４に示すように、面ファスナー１９によってラック群３Ａ、３Ｂの上面に分離可能に連結されている。そのため、遮蔽体ユニット１２の折り曲げ面１２Ａの裏面には両面テープ２０を介して一方の面ファスナー１９ａが接着され、ラック群３Ａ、３Ｂの上面には両面テープ２０を介して他方の面ファスナー１９ｂが接着されている。
【００２３】
なお、図１に示す遮蔽体ユニット１２において、その長手方向の両端部に設けた遮蔽体１３にはアーチ型のシート１５の頂部に沿って梁状の補強材２２を接着剤等で固定する。この補強材２２は芯材１４に連結されていることが好ましいが、連結されていなくてもよい。これによって遮蔽体ユニット１５の両端部の遮蔽体１３が補強されるため、遮蔽体ユニット１５の全体の強度が向上する。
補強材２２は芯材１４と同一の材質で形成してもよい。
【００２４】
本実施形態による電算機室空調システム１０は上述の構成を有しており、次に遮蔽体ユニット１２の組み立て方法と、ラック群３Ａ，３Ｂの上面への遮蔽体ユニット１２の取付方法について説明する。
まず、補強材２２を取り付けた１つの遮蔽体１３のシート１５の上面に固定された面ファスナー１７ｂを他の遮蔽体１３の芯材１４の下面に連結された面ファスナー１７ａに連結する。そして、２番目の遮蔽体１３のシート１５の面ファスナー１７ｂに３番目の遮蔽体１３の芯材１４の面ファスナー１７ａを連結し、こうして遮蔽体１３を順次接続してゆく。そして、最後の遮蔽体１３には補強材２２を設けたものを面ファスナー１７で連結する。
【００２５】
こうして得られた遮蔽体ユニット１２はアーチ型に形成されており、その長手方向の両側の折り曲げ部１２Ａの裏面に両面テープ２０を介して面ファスナー１９ａを連結する。また、通路４の両側のラック群３Ａ，３Ｂの上面にも、同様に両面テープ２０を被着して面ファスナー１９ｂを連結する。そして、遮蔽体ユニット１２の両側の面ファスナー１９ａをラック群３Ａ，３Ｂの上面の面ファスナー１９ｂに連結して取り付ける。
このようにして、電算機室空調システム１０としてラック群３Ａ，３Ｂ間の通路４上に遮蔽体ユニット１２を容易に取り付けできる。遮蔽体ユニット１２は軟質性の芯材と更に柔軟性の高いシート１５からなる遮蔽体１３を面ファスナー１７で複数連結して構成されており、各遮蔽体１３の芯材１４と両端の遮蔽体１３に設けた補強材２２によって剛性を確保してラック群３Ａ，３Ｂ間に取り付けられる。
【００２６】
次に、本実施形態による電算機室空調システム１０の使用方法について図５を参照しながら図１に基づいて説明する。
本実施形態による空調システム１０において、ラック３の運転時にファン３ｃと空気調和装置６が駆動され、空気調和装置６から送り出される冷却用空気は二重床２の内部空間５に供給される。内部空間５に供給された冷却用空気は、空気調和装置６の送風圧とファン３ｃの吸入圧を受けて床面の孔あきパネル７から通路４内に流入し、ラック３の前面の給気面３ｂから筐体３ａ内に送られる。筐体３ａ内に供給された冷却用空気は発熱したＩＴ機器や他の発熱機器を冷却し、熱交換されて高温の空気となってラック３の上方または背面方向に排気される。
【００２７】
特に、通路４の上にはアーチ状の遮蔽体ユニット１２が連結されているため、ラック３の上方や背面から排気される高温の空気が前面３ｂ側に回り込むことを遮蔽体ユニット１２によって阻止できる。ラック３の上方や背面から排気された高温の空気はラック３の前面３ｂの給気面３ｂから吸収されることはなく、通路４内に供給される冷気と混合して冷気の温度が上昇してラック３の冷却効果が減少することも防止できる。そのため、これら高温の空気はラック３の上方や背面から排気された後、空気調和装置６の吸込口６ａから吸入され、再び冷却されて冷却用空気として吹き出される。
【００２８】
また、本実施形態による電算機室空調システム１０において、地震等によってラック群３Ａ，３Ｂが振動した場合、各ラック３の振動周期にずれがあったとしても、遮蔽体ユニット１２はアーチ状である上に各遮蔽体１３が面ファスナー１７で互いに連結され、しかも軽量で柔軟性が高いために、各ラック３の振動に追従して容易に変形する。そのため、振動時に遮蔽体ユニット１２が破損したり落下したりすることを抑制できる。
また、遮蔽体ユニット１２はラック３とは面ファスナー１９によって連結されているため、各ラック３の振動周期に大きなずれが生じたとしても、一部の面ファスナー１９でラック３から分離したり、遮蔽体１３同士が面ファスナー１７で分離したりすることで振動による応力を吸収できる。
【００２９】
また、本実施形態による電算機室空調システム１０を設置した場合における他の設備のメンテナンス方法について説明する。
電算機室には、遮蔽体ユニット１２の上側、例えば天井に蛍光灯等の照明器具や火災報知器等の他の設備が設置されている。これら照明器具や火災報知器等の交換や点検等のメンテナンスを行う場合、図３に示すように、遮蔽体ユニット１２における一の遮蔽体１３のシート１５が隣接する遮蔽体１３の芯材１４の下面に面ファスナー１７で連結されているため、通路４上の作業員がシート１５を芯材１４から下方に引っ張ることで一方の面ファスナー１７ａと他方の面ファスナー１７ｂを引き剥がすことができる。
【００３０】
この場合、剥がされた遮蔽体１３のシート１５は芯材１４の部分で他の遮蔽体１３に連結されているため、通路４内で下方に垂れた状態に保持される。そのため、垂れ下がった遮蔽体１３のシート１５は落下することがなく、また遮蔽体１３を取り外して設置するスペースを確保する必要もない。
そして、シート１５を剥がした空間を通して作業員が脚立等を用いて天井近くに立つことができるため、照明器具の交換や火災報知機の点検等を容易に行うことができる。交換や点検等のメンテナンス終了後に、剥がれたシート１５の面ファスナー１７ｂを隣の遮蔽体１３の芯材１４の面ファスナー１７ａに押し付けて連結すれば元の状態に戻る。
【００３１】
上述のように本実施形態による電算機室空調システム１０によれば、遮蔽体ユニット１２は、各遮蔽体１３や面ファスナー１７，１９等を既製品の部材で構築することができるため、製造コストを低廉にすることができて、組み立てや製造の効率化を図ることができる。
また、遮蔽体ユニット１２は複数の遮蔽体１３を面ファスナー１７で連結して構成し、ラック３との連結も面ファスナー１９で行っているから、ラック３の上面にボルト穴を形成したりボルトで締結固定したりする必要がなく、組み立てや取り付けが簡単であり、取り付け工事の効率化と設置工事費を削減できる。
【００３２】
しかも、遮蔽体ユニット１２は柔軟な合成樹脂の芯材１４とシート１５からなる遮蔽体１３を面ファスナー１７で連結してアーチ型に形成したから、地震等が発生して形状や重さの異なる複数のラック３が異なる周期で振動したとしても、各ラック３の振動に追従して変形可能であるから、損傷したり落下したりすることを抑制できる。
また、地震等による振動が過大な場合でも、遮蔽体１３同士や遮蔽体ユニット１２とラック３とが面ファスナー１７、１９で連結されているから、一部の面ファスナー１７，１９が剥離することで応力を吸収することができて遮蔽体ユニット１２や各遮蔽体１３自体の損傷を抑制できる。
【００３３】
更に、電算機室において遮蔽ユニット１２の外側の他の設備として天井などに設置した照明器具や火災報知器等を交換したり点検したりするメンテナンスの場合、遮蔽体ユニット１２を取り外す必要がなく、面ファスナー１７で連結されている一部の遮蔽体１３のシート１５を、通路４内で隣の遮蔽体１３の芯材１４から下方に引き剥がして分離するだけで天井等に通じる開口を形成できる。そのため、従来の遮蔽体のように遮蔽体自体を取り外す必要もなく、また遮蔽体の取り外しの際に誤って落下したりすることもなく、取り外した遮蔽体の置き場所を確保する必要もない。そして、メンテナンス等が終了した後は、遮蔽体ユニット１２における外されたシート１５の面ファスナー１７ｂを隣の遮蔽体１３の芯材１４の面ファスナー１７ａに連結すればよいので、着脱が極めて容易である。
また、遮蔽体ユニット１２をラック３から取り外したり分解したりする際にも、面ファスナー１９でラック３から剥離すればよいので容易である。
【００３４】
なお、本発明による電算機室空調システム１０は上述の実施形態に限定されるものではなく、本発明の要旨を変更しない限り適宜の変更や置換等を採用することができる。
例えば、遮蔽体１３において、芯材１４とシート１５は同一材質で一体に形成されていてもよい。また、シート１５は布等で形成されていてもよい。
なお、本発明では、天井の照明器具や火災報知器等の他の設備をメンテナンスする際、遮蔽体ユニット１２の一部の遮蔽体１３のシート１５を下方または上方に引き剥がすことでメンテナンス可能であるが、遮蔽体ユニット１２の取り付けと取り外しも面ファスナー１９の着脱により容易に行える。
【００３５】
また、図５は遮蔽体ユニット１２における遮蔽体１３同士の連結構造の変形例を示す図３と同様な断面図である。
各遮蔽体１３は、一の遮蔽体１３のシート１５における芯材１４とは反対側の端部１３ｂと、隣接する他の遮蔽体１３の芯材１４とが、面ファスナー１７によって分離可能に連結されている。連結部分は、芯材１４の上側に両面テープ１８を介して一方の面ファスナー１７ａが接着され、シート１５の端部１３ｂを略Ｕ字状に湾曲させてその下側に両面テープ１８を介して他方の面ファスナー１７ｂが接着されている。なお、シート１５の端部１３ｂは湾曲させることなくその下面を芯材１４の上面に面ファスナー１７ａ、１７ｂで連結してもよい。
【００３６】
この場合、通路４にいる作業員が遮蔽体１３のシート１５を上側に引き剥がすことで隣の遮蔽体１３と分離して開口を形成できる。
本発明では遮蔽体１３のシート１５を隣の遮蔽体１３の芯材１４から、上と下のどちらに引き剥がしてもよく、作業員が通路４内で開閉作業できればよい。
【００３７】
また、上述の実施形態による電算機室空調システム１０では、ラック群３Ａ，３Ｂで挟まれた通路４を遮蔽体ユニット１２で区画して冷却用空気を供給するようにしたが、この構成に代えて、第二実施形態による電算機室空調システム１０として、二組のラック群の背面間の別の通路に高温となった空気を排気するようにしてもよい。そして、高温の空気が流動する別の通路を挟む両側のラック群の上面に本実施形態による遮蔽体ユニット１２を設置することを特徴とする。
この場合、冷却用空気は、内部空間５を通して床面の孔あきパネル７から通路４内に流入し、ラック３の前面３ｂや上面から筐体３ａ内に送られる。筐体３ａ内に供給された冷却用空気は発熱したＩＴ機器や他の発熱機器を冷却し、熱交換されて高温の空気となってラック３の背面方向の遮蔽体ユニット１２で区画された別の通路に排気される。そして、この高温の空気は冷却用空気と混合することなく空気調和装置６の吸込口６ａから吸入され、再び冷却されて冷却用空気として吹き出されることになる。
【符号の説明】
【００３８】
３  ラック
４  通路
３Ａ、３Ｂ  ラック群
１０  電算機室空調システム
１２  遮蔽体ユニット
１２Ａ  折り曲げ面
１３  遮蔽体
１３ａ  折り曲げ部
１４  芯材
１５  シート
１７，１７ａ、１７ｂ、１９，１９ａ、１９ｂ  面ファスナー
１８、２０  両面シート
２２  補強材
【図１】
2014052130.tif 000003
【図２】
2014052130.tif 000004
【図３】
2014052130.tif 000005
【図４】
2014052130.tif 000006
【図５】
2014052130.tif 000007
【図６】
2014052130.tif 000008
【図７】
2014052130.tif 000009
【図８】
2014052130.tif 000010